(57)【特許請求の範囲】
【請求項１】
一面に突起が形成される第１レンズと、
前記一面と対向する面に前記突起が挿入される溝が形成される第２レンズと
を含み、
前記突起の断面は、光軸に対して垂直方向に延長される第１平坦部及び前記第１平坦部から延長され、第１半径を有する第１曲線部を含み、
前記溝の断面は、前記第１平坦部と対向する第２平坦部及び前記第２平坦部から延長され、第２半径を有する第２曲線部を含み、
前記第１平坦部と前記第２平坦部とが面接触し、前記第１曲線部と前記第２曲線部とが接触しており、
前記第１平坦部と前記第２平坦部との接触および前記第１曲線部と前記第２曲線部との接触以外では、前記第１レンズと第２レンズとは直接的に接触しておらず、
前記第１レンズと前記第２レンズを収容する収容空間を有するレンズ鏡筒をさらに含み、
前記収容空間は前記第１レンズと前記第２レンズのうち何れか一つから離間しているレンズモジュール。
【請求項２】
前記第１半径と前記第２半径は同一のサイズである、請求項１に記載のレンズモジュール。
【請求項３】
前記第１半径と前記第２半径は異なるサイズである、請求項１に記載のレンズモジュール。
【請求項４】
前記突起の最大幅は前記溝の最大幅と異なる、請求項１から３のいずれか１項に記載のレンズモジュール。
【請求項５】
前記収容空間は前記第１レンズと前記第２レンズのうち何れか一つと接触する、請求項１から４のいずれか１項に記載のレンズモジュール。
【発明の詳細な説明】
【技術分野】
【０００１】
本発明は、レンズモジュールに関し、より詳細には、レンズ間の光軸整列が容易なレンズモジュールに関する。
【背景技術】
【０００２】
携帯用機器（例えば、携帯電話）の性能が向上するに伴い、携帯用機器に装着される小型カメラに対しても高い解像度が要求されている。これにより、小型カメラは益々多くのレンズを含むレンズモジュールからなっている。
【０００３】
多数のレンズを含むレンズモジュールは、レンズと、レンズを収容するレンズ鏡筒と、を含むことができる。このようなレンズモジュールは、レンズ鏡筒にレンズを順に挿入してレンズの光軸を一致させる構造を有する。
【０００４】
しかし、このような構造はレンズ鏡筒によってレンズの光軸が整列される構造であるため、レンズ鏡筒に装着される全てのレンズを同一のサイズまたは同一の加工誤差で製作しなければならないという問題がある。
【０００５】
尚、上述の構造は、レンズ鏡筒にそれぞれのレンズが締まり嵌め方式で挿入されるため、レンズ鏡筒とレンズとの結合が容易でない。
【０００６】
一方、これに係わる先行技術としては特許文献１が挙げられる。特許文献１では、レンズに円錐面を形成してレンズ間の整列精度を向上させている。しかし、特許文献１は、異なるレンズに形成される円錐面が同一でなければならないため、実質的に製作することが困難である。
【先行技術文献】
【特許文献】
【０００７】
【特許文献１】特開２００２−２８６９８７Ａ号公報
【発明の概要】
【発明が解決しようとする課題】
【０００８】
本発明は上記のような問題点を解決するためのものであって、光軸に沿って結合されるレンズ間の光軸整列が容易なレンズモジュールを提供することをその目的とする。
【課題を解決するための手段】
【０００９】
上記の目的を果たすための本発明の一実施例によるレンズモジュールは、一面に突起が形成される第１レンズと、上記一面と対向する面に上記突起が挿入される溝が形成される第２レンズと、を含むことができる。
【００１０】
本発明の一実施例によるレンズモジュールにおいて、上記突起の断面は第１半径を有する第１曲線部を含み、上記溝の断面は第２半径を有する第２曲線部を含むことができる。
【００１１】
本発明の一実施例によるレンズモジュールにおいて、上記第１半径と上記第２半径は同一のサイズであることができる。
【００１２】
本発明の一実施例によるレンズモジュールにおいて、上記第１半径は上記第２半径と異なることができる。
【００１３】
本発明の一実施例によるレンズモジュールにおいて、上記突起の断面は、光軸に対して垂直方向に延長される第１平坦部及び上記第１平坦部から延長され、第１半径を有する第１曲線部を含み、上記溝の断面は、上記第１平坦部と対向する第２平坦部及び上記第２平坦部から延長され、第２半径を有する第２曲線部を含むことができる。
【００１４】
この場合、上記第１半径のサイズと上記第２半径のサイズは同一であるかまたは異なることができる。
【００１５】
本発明の一実施例によるレンズモジュールにおいて、上記突起の最大幅は上記溝の最大幅と異なることができる。
【００１６】
本発明の一実施例によるレンズモジュールにおいて、上記第１レンズと上記第２レンズを収容する収容空間を有するレンズ鏡筒をさらに含むことができる。
【００１７】
本発明の一実施例によるレンズモジュールにおいて、上記収容空間は上記第１レンズと上記第２レンズのうち何れか一つと接触することができる。
【００１８】
上記の目的を果たすための本発明の他の実施例によるレンズモジュールは、光軸を中心とする第１円錐面及び光軸に対して垂直方向に延長される第１平坦面を有する第１レンズと、光軸を中心とする第２円錐面及び光軸に対して垂直方向に延長される第２平坦面を有する第２レンズと、を含み、上記第１円錐面と上記第１平坦面は第１半径の第１曲面により連結され、上記第２円錐面と上記第２平坦面は第２半径の第２曲面により連結されることができる。
【００１９】
本発明の他の実施例によるレンズモジュールにおいて、上記第１半径と上記第２半径は同一のサイズであることができる。
【００２０】
本発明の他の実施例によるレンズモジュールにおいて、上記第１半径と上記第２半径は異なるサイズであることができる。
【００２１】
上記の目的を果たすための本発明のさらに他の実施例によるレンズモジュールは、光軸に対して垂直方向に延長される第１の第１平坦面及び上記第１の第１平坦面と異なる高さを有する第２の第１平坦面を含む第１レンズと、光軸に対して垂直方向に延長される第１の第２平坦面及び上記第１の第２平坦面と異なる高さを有する第２の第２平坦面を含む第２レンズと、を含み、上記第１の第１平坦面と上記第２の第１平坦面は第１半径を有する第１曲面により連結され、上記第１の第２平坦面と上記第２の第２平坦面は第２半径を有する第２曲面により連結されることができる。
【００２２】
本発明のさらに他の実施例によるレンズモジュールにおいて、上記第１半径と上記第２半径は同一のサイズであることができる。
【００２３】
本発明のさらに他の実施例によるレンズモジュールにおいて、上記第１半径と上記第２半径は異なるサイズであることができる。
【００２４】
上記の目的を果たすための本発明のさらに他の実施例によるレンズモジュールは、光軸に対して垂直方向に延長される第１平坦面、上記第１平坦面に対して光軸方向に垂直延長される第１垂直面、及び上記第１平坦面と上記第１垂直面とを連結し、第１半径を有する第１曲面を含む第１レンズと、光軸に対して垂直方向に延長される第２平坦面、上記第２平坦面に対して光軸方向に垂直延長される第２垂直面、及び上記第２平坦面と上記第２垂直面とを連結し、第２半径を有する第２曲面を含む第２レンズと、を含み、上記第１レンズと上記第２レンズは、上記第１曲面と上記第２曲面の接触により整列されることができる。
【００２５】
本発明のさらに他の実施例によるレンズモジュールにおいて、上記第１半径と上記第２半径は同一のサイズであることができる。
【００２６】
本発明のさらに他の実施例によるレンズモジュールにおいて、上記第１半径と上記第２半径は異なるサイズであることができる。
【００２７】
本発明のさらに他の実施例によるレンズモジュールにおいて、上記第１曲面と上記第２曲面は両方とも凸状であることができる。
【００２８】
本発明のさらに他の実施例によるレンズモジュールにおいて、上記第１曲面は凸状または凹状であり、上記第２曲面は上記第１曲面と異なる凹状または凸状であることができる。
【発明の効果】
【００２９】
本発明によると、レンズの光軸を容易に整列させることができる。
【図面の簡単な説明】
【００３０】
【図１】本発明の第１実施例によるレンズモジュールの断面図である。
【図２】図１に図示されたＡ部分の拡大図である。
【図３】本発明の第１実施例によるレンズモジュールの他の形態を説明するためのＡ部分の拡大図である。
【図４】本発明の第１実施例によるレンズモジュールのさらに他の形態を説明するためのＡ部分の拡大図である。
【図５】本発明の第２実施例によるレンズモジュールの断面図である。
【図６】図５に図示されたＢ部分の拡大図である。
【図７】本発明の第２実施例によるレンズモジュールの他の形態を説明するためのＢ部分の拡大図である。
【図８】本発明の第３実施例によるレンズモジュールの断面図である。
【図９】図８に図示されたＣ部分の拡大図である。
【図１０】本発明の第３実施例によるレンズモジュールの他の形態を説明するためのＣ部分の拡大図である。
【図１１】本発明の第３実施例によるレンズモジュールのさらに他の形態を説明するためのＣ部分の拡大図である。
【図１２】本発明の第４実施例によるレンズモジュールの断面図である。
【図１３】図１２に図示されたＤ部分の拡大図である。
【図１４】本発明の第４実施例によるレンズモジュールの他の形態を説明するためのＤ部分の拡大図である。
【図１５】本発明の第５実施例によるレンズモジュールの断面図である。
【図１６】図１５に図示されたＥ部分の拡大図である。
【図１７】本発明の第５実施例によるレンズモジュールの他の形態を説明するためのＥ部分の拡大図である。
【図１８】本発明の第６実施例によるレンズモジュールの断面図である。
【図１９】図１８に図示されたＦ部分の拡大図である。
【図２０】本発明の第５実施例によるレンズモジュールの他の形態を説明するためのＥ部分の拡大図である。
【図２１】本発明の第５実施例によるレンズモジュールの他の形態を説明するためのＥ部分の拡大図である。
【発明を実施するための形態】
【００３１】
以下、本発明の好ましい実施例を添付例示図面に基づいて詳細に説明する。
【００３２】
以下で本発明を説明するにあたり、本発明の構成要素を指称する用語はそれぞれの構成要素の機能を考慮して命名されたものであるため、本発明の技術的構成要素を限定する意味で理解されてはならない。
【００３３】
図１は本発明の第１実施例によるレンズモジュールの断面図であり、図２は図１に図示されたＡ部分の拡大図であり、図３は本発明の第１実施例によるレンズモジュールの他の形態を説明するためのＡ部分の拡大図であり、図４は本発明の第１実施例によるレンズモジュールのさらに他の形態を説明するための Ａ部分の拡大図であり、図５は本発明の第２実施例によるレンズモジュールの断面図であり、図６は図５に図示されたＢ部分の拡大図であり、図７は本発明の第２実施例によるレンズモジュールの他の形態を説明するためのＢ部分の拡大図であり、図８は本発明の第３実施例によるレンズモジュールの断面図であり、図９は図８に図示されたＣ部分の拡大図であり、図１０は本発明の第３実施例によるレンズモジュールの他の形態を説明するためのＣ部分の拡大図であり、図１１は本発明の第３実施例によるレンズモジュールのさらに他の形態を説明するためのＣ部分の拡大図であり、図１２は本発明の第４実施例によるレンズモジュールの断面図であり、図１３は図１２に図示されたＤ部分の拡大図であり、図１４は本発明の第４実施例によるレンズモジュールの他の形態を説明するためのＤ部分の拡大図であり、図１５は本発明の第５実施例によるレンズモジュールの断面図であり、図１６は図１５に図示されたＥ部分の拡大図であり、図１７は本発明の第５実施例によるレンズモジュールの他の形態を説明するためのＥ部分の拡大図であり、図１８は本発明の第６実施例によるレンズモジュールの断面図であり、図１９は図１８に図示されたＦ部分の拡大図であり、図２０及び図２１は本発明の第５実施例によるレンズモジュールの他の形態を説明するためのＥ部分の拡大図である。
【００３４】
本発明の第１実施例によるレンズモジュールを図１から図４を参照して説明する。
【００３５】
第１実施例によるレンズモジュール１０は、第１レンズ１００と、第２レンズ２００と、第３レンズ３００と、第４レンズ４００と、レンズ鏡筒８００と、を含むことができる。尚、レンズモジュール１０は選択的に、遮光部材９００をさらに含むことができる。また、レンズモジュール１０は、具現しようとする解像度に応じて、第５レンズまたはそれ以上のレンズをさらに含むことができる。
【００３６】
第１レンズ１００は、ガラス、ガラスモールディング、熱硬化性樹脂、熱可塑性樹脂またはプラスチック材質で製作されることができる。第１レンズ１００は全体的に正の屈折力または負の屈折力を有することができる。第１レンズ１００は、レンズ鏡筒８００の内側に配置されることができ、レンズ鏡筒８００において、被写体の最も近くに配置されるレンズであることができる。
【００３７】
第１レンズ１００は、レンズ機能部１０２及びフランジ部１０４を含むことができる。レンズ機能部１０２は、被写体から反射された入射光を実質的に屈折させることができる。そのために、レンズ機能部１０２は、凹状または凸状またはメニスカス状を有することができる。フランジ部１０４はレンズ機能部１０２の縁に形成されることができる。フランジ部１０４は、レンズ鏡筒８００または他のレンズとの接触がなされる部分であることができる。尚、フランジ部１０４は、フランジ部１０４を介して不要な光が透過されることを防止するために、遮光物質でコーティングされることができる。
【００３８】
第１レンズ１００は、レンズ鏡筒８００の収容空間８１０より小さいサイズを有することができる。即ち、第１レンズ１００の横断面サイズは収容空間８１０の横断面サイズより小さいことができる。従って、レンズ鏡筒８００に装着された第１レンズ１００は、レンズ鏡筒８００の内側面と接触されない。
【００３９】
第１レンズ１００の第１面１１０（図１を基準として上面）には突起１３０が形成されることができる。ここで、突起１３０の断面形状は、第１半径Ｒ１を有する半円状であることができる。しかし、突起１３０の断面形状が半円に限定されるものではない。一方、突起１３０は、光軸Ｃ−Ｃを中心として環状に形成されることができる。しかし、突起１３０の形態はこれに限定されず、必要に応じて、半球状であってもよい。尚、突起１３０は非球面を有する形状であることができる。
【００４０】
第１レンズ１００の第２面１２０（図１を基準として下面）は、レンズ鏡筒８００の内側面と接触することができる。第１レンズ１００の第２面１２０がレンズ鏡筒８００の内側面と面接触することにより、第１レンズ１００の位置を安定して維持させることができる。
【００４１】
第２レンズ２００は、ガラス、ガラスモールディング、熱硬化性樹脂、熱可塑性樹脂またはプラスチック材質で製作されることができる。第２レンズ２００は全体的に正の屈折力または負の屈折力を有することができる。さらに説明すると、第２レンズ２００は、第１レンズ１００と異なる屈折力を有することができる。第２レンズ２００はレンズ鏡筒８００の内部に装着されることができる。具体的に説明すると、第２レンズ２００は第１レンズ１００の上側（図１を基準とする方向）に配置されることができる。
【００４２】
第２レンズ２００は、レンズ機能部２０２及びフランジ部２０４を含むことができる。レンズ機能部２０２は、被写体から反射された入射光を実質的に屈折させることができる。そのために、レンズ機能部２０２は凹状または凸状またはメニスカス状を有することができる。フランジ部２０４はレンズ機能部２０２の縁に形成されることができる。フランジ部２０４は、レンズ鏡筒８００または他のレンズとの接触がなされる部分であることができる。尚、フランジ部２０４は、フランジ部２０４を介して不要な光が透過されることを防止するために、遮光物質でコーティングされることができる。
【００４３】
第２レンズ２００は、レンズ鏡筒８００の収容空間８１０と同一のサイズを有することができる。即ち、第２レンズ２００の横断面サイズは収容空間８１０の横断面サイズと同一であることができる。従って、レンズ鏡筒８００に装着された第２レンズ２００は、レンズ鏡筒８００の内側面と接触される。
【００４４】
第２レンズ２００の第１面２１０（図１を基準として上面）には突起２３０が形成されることができる。ここで、突起２３０の断面形状は、第１レンズ１００の突起１３０と同一の形状であることができる。第２レンズ２００の突起２３０は、第３レンズ３００の溝３４０に挿入されることができる。
【００４５】
第２レンズ２００の第２面２２０には溝２４０が形成されることができる。ここで、溝２４０は、突起１３０を収容することができる断面形状を有することができる。溝２４０の断面形状は、第２半径Ｒ２を有する半円状（陰刻）であることができる。一方、溝２４０は、光軸Ｃ−Ｃを中心として環状に形成されることができる。しかし、溝２４０の形態はこれに限定されず、必要に応じて、凹の半球状であってもよい。
【００４６】
第２半径Ｒ２は、図２に図示されたように、第１半径Ｒ１と同一のサイズであることができる。この場合、突起１３０と溝２４０の結合により、第１レンズ１００と第２レンズ２００の光軸整列が容易になされることができる。
【００４７】
しかし、必要に応じて、第２半径Ｒ２は図３及び図４に図示されたように、第１半径Ｒ１と異なることができる。この場合にも、突起１３０は溝２４０の曲線部に沿って溝２４０の中心部に移動しようとする傾向を有するため、突起１３０と溝２４０の結合により、第１レンズ１００と第２レンズ２００の光軸整列が容易になされることができる。
【００４８】
一方、第１レンズ１００のフランジ部１０４と第２レンズ２００のフランジ部２０４とは、図３に図示されたように、遮光部材９００を介して接触することができる。しかし、第１レンズ１００のフランジ部１０４と第２レンズ２００のフランジ部２０４は、必要に応じて、図４に図示されたように接触していなくてもよい。
【００４９】
第３レンズ３００及び第４レンズ４００は、上述のレンズと同様に、ガラス、ガラスモールディング、熱硬化性樹脂、熱可塑性樹脂またはプラスチックで製作されることができる。尚、第３レンズ３００及び第４レンズ４００は正の屈折力または負の屈折力を有することができる。ここで、第３レンズ３００及び第４レンズ４００の屈折力は異なることができる。
【００５０】
第３レンズ３００及び第４レンズ４００はそれぞれ、レンズ鏡筒８００の収容空間８１２、８１４より小さいサイズを有することができる。即ち、第３レンズ３００の横断面サイズは収容空間８１２の横断面サイズより小さく、第４レンズ４００の横断面サイズは収容空間８１４の横断面サイズより小さいことができる。従って、レンズ鏡筒８００に装着された第３レンズ３００及び第４レンズ４００は、レンズ鏡筒８００の内側面と全く接触されない。
【００５１】
第３レンズ３００及び第４レンズ４００は、レンズ機能部３０２、４０２及びフランジ部３０４、４０４を含むことができる。レンズ機能部３０２、４０２は、凹状または凸状またはメニスカス状を有することができる。
【００５２】
第３レンズ３００のフランジ部３０４には突起３３０及び溝３４０が形成されることができ、第４レンズ４００のフランジ部４０４には溝４４０が形成されることができる。第３レンズ３００の突起３３０は第４レンズ４００の溝４４０に挿入され、第３レンズ３００の溝３４０には第２レンズ２００の突起２３０が挿入されることができる。
【００５３】
参考までに、第３レンズ３００の突起３３０は上述の第１レンズ１００の突起１３０と同一で、第３レンズ３００の溝３４０及び第４レンズ４００の溝４４０の形状は上述の第２レンズ２００の溝２４０の形状と同一であるため、これら構成要素についての詳細な説明は省略する。
【００５４】
レンズ鏡筒８００は、多数のレンズ１００、２００、３００、４００を収容することができる収容空間８１０、８１２、８１４を有することができる。収容空間８１０、８１２、８１４は、異なるサイズのレンズを適切に収容することができるように、レンズ１００、２００、３００、４００の位置に応じて異なる断面サイズを有することができる。例えば、第４レンズ４００が収容される収容空間８１４の断面サイズは、第１レンズ１００と第２レンズ２００が収容される収容空間８１０の断面サイズより大きいことができる。しかし、レンズ鏡筒８００に収容されるレンズのサイズが同一である場合には、収容空間８１０、８１２、８１４の断面サイズが全て同一であることができる。
【００５５】
遮光部材９００は、レンズとレンズとの間に配置されることができる。さらに説明すると、遮光部材９００は、第１レンズ１００と第２レンズ２００との間、第２レンズ２００と第３レンズ３００との間、第３レンズ３００と第４レンズ４００との間にそれぞれ配置されることができる。しかし、遮光部材９００は必要に応じて、部分的に省略されることができる。
【００５６】
尚、各レンズ１００、２００、３００、４００のフランジ部１０４、２０４、３０４、４０４には通気路が形成されることができる。この通気路は、レンズの上下積層時に発生する膨圧を効果的に減少または除去させることができる。
【００５７】
このように構成されたレンズモジュール１０は、次のような長所を有する。
【００５８】
第一に、レンズの光軸整列が容易である。
【００５９】
本実施例によると、レンズとレンズの結合が、突起と溝の結合によりなされることができる。ここで、突起と溝は所定の半径を有するため、常に特定位置で点接触または線接触することができる。これにより、レンズとレンズはこのような突起と溝の結合によって常に一定の位置で結合することができるため、レンズの光軸が自然に整列されることができる。
【００６０】
第二に、レンズの製作が容易である。
【００６１】
本発明のレンズモジュール１０は、図３に図示されたように、突起と溝の半径が必ずしも一致しなくても、レンズの光軸が整列されることができる。従って、本実施例によると、レンズの整列手段である突起と溝の精密加工が不要であるため、レンズを容易に製作することができる。
【００６２】
第三に、レンズ鏡筒とレンズの結合が容易である。
【００６３】
本発明のレンズモジュール１０は、多数のレンズ１００、２００、３００、４００のうち特定レンズ（本実施例では第２レンズ２００）のみがレンズ鏡筒８００の内側面に結合される構造を有することができる。このような構造により、レンズ鏡筒８００と結合する特定レンズによって他のレンズの位置が整列されるため、レンズの光軸整列が容易である。また、このような構造により、多数のレンズのうち特定レンズのみがレンズ鏡筒８００と接触するため、レンズ鏡筒８００に多数のレンズを容易に挿入することができる。従って、本発明のレンズモジュール１０では、レンズ鏡筒とレンズの結合が容易になされることができる。
【００６４】
次に、本発明の他の実施例について説明する。参考までに、他の実施例についての説明において、第１実施例と同一の構成要素は第１実施例と同一の図面符号を用いることにし、これら構成要素についての詳細な説明は省略する。
【００６５】
本発明の第２実施例によるレンズモジュールを図５から図７を参照して説明する。
【００６６】
第２実施例によるレンズモジュール１０は、突起１３０及び溝２４０の形状において第１実施例と区別されることができる。
【００６７】
突起１３０は、第１レンズ１００のフランジ部１０４から第２レンズ２００に向かって突出することができる。突起１３０は、第１曲線部１３２及び第１平坦部１３４を含むことができる。第１曲線部１３２は第１半径Ｒ１を有することができ、第１平坦部１３４は光軸に対して垂直な部分であることができる。突起１３０は所定の幅Ｗ１を有することができる。ここで、図面に示された幅Ｗ１は、突起１３０の最大幅であることができる。
【００６８】
溝２４０は、第２レンズ２００のフランジ部２０４に形成され、第１レンズ１００の突起１３０を収容することができる。溝２４０は所定の幅Ｗ２を有することができる。ここで、図面に示された幅Ｗ２は、溝２４０の最大幅であることができ、突起１３０の幅Ｗ１より大きいことができる。この場合、第２レンズ２００の溝２４０に第１レンズ１００の突起１３０が容易に挿入されるため、第１レンズ１００と第２レンズ２００の結合が容易になされることができる。
【００６９】
溝２４０は、第２曲線部２４２及び第２平坦部２４４を含むことができる。第２曲線部２４２は第２半径Ｒ２を有することができる。第２半径Ｒ２は、第１半径Ｒ１と同一であるか、またはそれより大きいことができる（図６及び図７参照）。第２曲線部２４２は、第１レンズ１００と第２レンズ２００とが結合された状態で第１曲線部１３２と接触することができる。第２平坦部２４４は、第１平坦部１３４と対向する部分であり、第１レンズ１００と第２レンズ２００とが結合された状態で第１平坦部１３４と面接触することができる。
【００７０】
このように構成されたレンズモジュール１０は、第２レンズ２００の溝２４０が第１レンズ１００の突起１３０より大きいため、第１レンズ１００と第２レンズ２００の結合が容易になされることができる。
【００７１】
尚、第１レンズ１００と第２レンズ２００とが結合された状態で、突起１３０の第１曲線部１３２及び第１平坦部１３４が溝２４０の第２曲線部２４２及び第２平坦部２４４とそれぞれ接触するため、レンズ１００、２００間の上下方向の整列と水平方向の整列が同時になされることができる。
【００７２】
一方、上記の説明では第１レンズ１００と第２レンズ２００の結合構造のみを言及したが、第２レンズ２００と第３レンズ３００、及び第３レンズ３００と第４レンズ４００の結合構造も第１レンズ１００と第２レンズ２００の結合構造と同様である。
【００７３】
本発明の第３実施例によるレンズモジュールを図８から図１１を参照して説明する。
【００７４】
第３実施例によるレンズモジュール１０は、フランジ部の形状において上述の実施例と区別されることができる。さらに説明すると、本実施例によるレンズは、突起及び溝を備えないことができる。
【００７５】
第１レンズ１００は、第１平坦面１１２と、第１円錐面１５０と、第１曲面１１８と、を含むことができる。第１平坦面１１２は、フランジ部１０４に形成され、光軸に対して垂直な平面であることができる。第１円錐面１５０は第１平坦面１１２と隣接した部分に形成されることができる。第１円錐面１５０は、光軸Ｃ−Ｃに位置した任意の一点を頂点とする円錐の一部分であることができ、第１平坦面１１２に対して所定の傾斜を有することができる。第１曲面１１８は、第１平坦面１１２と第１円錐面１５０とを連結し、第１半径Ｒ１を有する曲面であることができる。
【００７６】
第２レンズ２００は、第２平坦面２２２と、第２円錐面２５０と、第２曲面２２８と、を含むことができる。第２平坦面２２２は、フランジ部２０４に形成され、光軸に対して垂直な平面であることができる。第２円錐面２５０は第２平坦面２２２と隣接した部分に形成されることができる。第２円錐面２５０は、光軸Ｃ−Ｃに位置した任意の一点を頂点とする円錐の一部分であることができ、第２平坦面２２２に対して所定の傾斜を有することができる。ここで、第２円錐面２５０が形成する仮想の円錐と第１円錐面１５０が形成する仮想の円錐は、同一の形態を有することができる。第２曲面２２８は、第２平坦面２２２と第２円錐面２５０とを連結し、第２半径Ｒ２を有する曲面であることができる。第２半径Ｒ２は、図９に図示されたように、第１半径Ｒ１と同一であることができる。しかし、必要に応じて、第２半径Ｒ２は図１０及び図１１に図示されたように、第１半径Ｒ１と異なることができる。ここで、前者の場合は、円錐面１５０、２５０の面接触により第１レンズ１００と第２レンズ２００の光軸が整列されることができる。これと異なって、後者の場合は、第１曲面１１８と第２曲面２２８の接触により第１レンズ１００と第２レンズ２００の光軸が整列されることができる。
【００７７】
一方、上記の説明では第１レンズ１００と第２レンズ２００の結合構造のみを言及したが、第２レンズ２００と第３レンズ３００、及び第３レンズ３００と第４レンズ４００の結合構造も第１レンズ１００と第２レンズ２００の結合構造と同様である。
【００７８】
本発明の第４実施例によるレンズモジュールを図１２から図１４を参照して説明する。
【００７９】
第４実施例によるレンズモジュール１０は、フランジ部の形状において上述の実施例と区別されることができる。
【００８０】
第１レンズ１００の第１面１１０には、第１の第１平坦面１１４及び第２の第１平坦面１１６が形成されることができる。第１の第１平坦面１１４と第２の第１平坦面１１６は、異なる高さを有することができる。例えば、第１の第１平坦面１１４が第２の第１平坦面１１６より高く位置されることができる（図１２基準）。第１の第１平坦面１１４と第２の第１平坦面１１６は、第１曲面１１８または第１曲面１１８を含む複数の曲面により連結されることができる。第１曲面１１８は第１半径Ｒ１を有することができる。
【００８１】
第２レンズ２００の第２面２２０には、第１の第２平坦面２２４及び第２の第２平坦面２２６が形成されることができる。第１の第２平坦面２２４と第２の第２平坦面２２６は、異なる高さを有することができる。例えば、第１の第２平坦面２２４が第２の第２平坦面２２６より高く位置されることができる（図１２基準）。ここで、第１の第２平坦面２２４と第２の第２平坦面２２６との高さの差は、第１の第１平坦面１１４と第２の第１平坦面１１６との高さの差と同一であるかまたは異なることができる。第１の第２平坦面２２４と第２の第２平坦面２２６は、第２曲面２２８または第２曲面２２８を含む複数の曲面により連結されることができる。第２曲面２２８は第２半径Ｒ２を有することができる。ここで、第２半径Ｒ２は、図１３に図示されたように第１半径Ｒ１と同一であるか、図１４に図示されたように第１半径Ｒ１より大きいことができる。
【００８２】
このように構成されたレンズモジュール１０は、加工が相対的に難しい円錐面をフランジ部２０４に形成する必要がないため、レンズの製作が容易である。
【００８３】
一方、上記の説明では第１レンズ１００と第２レンズ２００の結合構造のみを言及したが、第２レンズ２００と第３レンズ３００、及び第３レンズ３００と第４レンズ４００の結合構造も第１レンズ１００と第２レンズ２００の結合構造と同様である。
【００８４】
本発明の第５実施例によるレンズモジュールを図１５から図１７を参照して説明する。
【００８５】
第５実施例によるレンズモジュール１０は、フランジ部の形状において上述の実施例と区別されることができる。
【００８６】
第１レンズ１００の第１面１１０には、第１の第１平坦面１１４及び第２の第１平坦面１１６が形成されることができる。第１の第１平坦面１１４と第２の第１平坦面１１６は、光軸と平行な第１垂直面１６０により連結されることができる。また、第１垂直面１６０と第２の第１平坦面１１６との間には第１曲面１１８が形成されることができる。第１曲面１１８は第１半径Ｒ１を有することができる。第１曲面１１８は図１６に図示されたように、凸状であることができる。しかし、第１曲面１１８は必要に応じて、凹状であってもよい。
【００８７】
第２レンズ２００の第２面２２０には、第１の第２平坦面２２４及び第２の第２平坦面２２６が形成されることができる。第１の第２平坦面２２４と第２の第２平坦面２２６は、光軸と平行な第２垂直面２６０により連結されることができる。また、第２垂直面２６０と第２の第２平坦面２２６との間には第２曲面２２８が形成されることができる。第２曲面２２８は第２半径Ｒ２を有することができる。第２曲面２２８は図１６に図示されたように、凹状であることができる。しかし、第２曲面２２８は図１７に図示されたように、凸状であってもよい。
【００８８】
一方、第１曲面１１８の第１半径Ｒ１は、図１６に図示されたように、第２曲面２２８の第２半径Ｒ２と同一であることができる。しかし、必要に応じて、第１曲面１１８の第１半径Ｒ１は図１７に図示されたように、第２曲面２２８の第２半径Ｒ２と異なることができる。
【００８９】
第１レンズ１００と第２レンズ２００は、上下方向（図１５を基準としてＺ軸方向）に結合して整列されることができる。この状態で、第１の第１平坦面１１４と第１の第２平坦面２２４は接触するが、第２の第１平坦面１１６と第２の第２平坦面２２６は接触しない。
【００９０】
第１レンズ１００と第２レンズ２００は、第１垂直面１６０と第２垂直面２６０の接触、または第１曲面１１８と第２曲面２２８の接触により、レンズ１００、２００間の光軸が一致されることができる。
【００９１】
しかし、図１７に図示されたように、第１垂直面１６０と第２垂直面２６０が接触しなくても、第１曲面１１８と第２曲面２２８の接触によりレンズ１００、２００間の光軸が一致されることができる。
【００９２】
このように構成されたレンズモジュール１０は、加工が相対的に難しい円錐面をフランジ部２０４に形成する必要がないため、レンズの製作が容易になる。尚、第１レンズ１００と第２レンズ２００との結合位置が第１曲面１１８と第２曲面２２８の接触により自然に整列されるため、レンズ１００、２００間の距離を一定に維持させることができる。
【００９３】
また、本発明のレンズモジュール１０は、加工誤差によって第１垂直面１６０と第２垂直面２６０が接触しなくても、第１曲面１１８と第２曲面２２８によりレンズ１００、２００間の光軸整列が可能であるため（図１７参照）、高解像度を有するレンズモジュールの製作に有利である。
【００９４】
一方、上記の説明では第１レンズ１００と第２レンズ２００の結合構造のみを言及したが、第２レンズ２００と第３レンズ３００、及び第３レンズ３００と第４レンズ４００の結合構造も第１レンズ１００と第２レンズ２００の結合構造と同様である。
【００９５】
本発明の第６実施例によるレンズモジュールを図１８から図２１を参照して説明する。
【００９６】
第６実施例によるレンズモジュール１０は、フランジ部の形状において上述の実施例と区別されることができる。
【００９７】
第１レンズ１００の第１面１１０には、第１の第１平坦面１１４及び第２の第１平坦面１１６が形成されることができる。第１の第１平坦面１１４と第２の第１平坦面１１６は、光軸と平行な第１垂直面１６０により連結されることができる。また、第１垂直面１６０と第２の第１平坦面１１６との間には第１曲面１１８が形成されることができる。第１曲面１１８は第１半径Ｒ１を有することができる。第１曲面１１８は図１９及び図２０に図示されたように、凸状であることができる。しかし、第１曲面１１８は必要に応じて、凹状であってもよい。
【００９８】
第２レンズ２００の第２面２２０には、第１の第２平坦面２２４及び第２の第２平坦面２２６が形成されることができる。第１の第２平坦面２２４と第２の第２平坦面２２６は、光軸と平行な第２垂直面２６０により連結されることができる。また、第２垂直面２６０と第２の第２平坦面２２６との間には第２曲面２２８が形成されることができる。第２曲面２２８は第２半径Ｒ２を有することができる。第２曲面２２８は図１９及び図２０に図示されたように、凹状であることができる。しかし、第２曲面２２８は図２１に図示されたように、凸状であってもよい。
【００９９】
一方、第１曲面１１８の第１半径Ｒ１は、図１９に図示されたように、第２曲面２２８の第２半径Ｒ２と同一であることができる。しかし、必要に応じて、第１曲面１１８の第１半径Ｒ１は図２０及び図２１に図示されたように、第２曲面２２８の第２半径Ｒ２と異なることができる。
【０１００】
第１レンズ１００と第２レンズ２００は、上下方向（図１８を基準としてＺ軸方向）に結合して整列されることができる。この状態で、第１の第１平坦面１１４と第１の第２平坦面２２４は接触しないが、第２の第１平坦面１１６と第２の第２平坦面２２６は接触する。
【０１０１】
第１レンズ１００と第２レンズ２００は、第１曲面１１８と第２曲面２２８の接触によりレンズ１００、２００間の光軸が一致されることができる。ここで、第１曲面１１８と第２曲面２２８は、図１９に図示されたように、同一のサイズの半径Ｒ１、Ｒ２を有することができる。しかし、必要に応じて、図２０及び図２１に図示されたように、第１曲面１１８の第１半径Ｒ１と第２曲面２２８の第２半径Ｒ２が異なることができる。
【０１０２】
尚、図１９及び図２０に図示されたように、第１曲面１１８は凸状であり、第２曲面２２８は凹状であることができる。または、図２１に図示されたように、第１曲面１１８と第２曲面２２８が両方とも凸状であることができる。
【０１０３】
このように構成されたレンズモジュール１０は、第１垂直面１６０と第２垂直面２６０が接触するか否かに関らず、第１曲面１１８と第２曲面２２８の接触により自然に整列されるため、レンズ１００、２００間の距離を一定に維持させることができる。
【０１０４】
尚、本発明のレンズモジュール１０は、第１レンズ１００と第２レンズ２００とが接触された状態で第２の第１平坦面１１６と第２の第２平坦面２２６が常に接触するため、第１レンズ１００と第２レンズ２００間の光軸距離が常に一定に維持されることができる。
【０１０５】
一方、上記の説明では第１レンズ１００と第２レンズ２００の結合構造のみを言及したが、第２レンズ２００と第３レンズ３００、及び第３レンズ３００と第４レンズ４００の結合構造も第１レンズ１００と第２レンズ２００の結合構造と同様である。
【０１０６】
本発明は、上述の実施例にのみ限定されるものではなく、本発明が属する技術分野において通常の知識を有する者であれば、添付の特許請求範囲に記載の本発明の技術的思想の趣旨を外れない範囲で、多様に変更して実施することができる。
【符号の説明】
【０１０７】
１０  レンズモジュール
１００  第１レンズ
１０２  レンズ機能部
１０４  フランジ部
１１０  （第１レンズの）第１面
１１２  第１平坦面
１１４  第１の第１平坦面
１１６  第２の第１平坦面
１２０  （第１レンズの）第２面
１３０  突起
１３２  第１曲線部
１３４  第１平坦部
１５０  第１円錐面
１６０  第１垂直面
２００  第２レンズ
２１０  （第２レンズの）第１面
２２０  （第２レンズの）第２面
２２２  第２平坦面
２２４  第１の第２平坦面
２２６  第２の第２平坦面
２３０  突起
２４０  溝
２４２  第２曲線部
２４４  第２平坦部
２５０  第２円錐面
２６０  第２垂直面
８００  レンズ鏡筒
８１０  収容空間
【図１】
0005527859.tif 000002
【図２】
0005527859.tif 000003
【図３】
0005527859.tif 000004
【図４】
0005527859.tif 000005
【図５】
0005527859.tif 000006
【図６】
0005527859.tif 000007
【図７】
0005527859.tif 000008
【図８】
0005527859.tif 000009
【図９】
0005527859.tif 000010
【図１０】
0005527859.tif 000011
【図１１】
0005527859.tif 000012
【図１２】
0005527859.tif 000013
【図１３】
0005527859.tif 000014
【図１４】
0005527859.tif 000015
【図１５】
0005527859.tif 000016
【図１６】
0005527859.tif 000017
【図１７】
0005527859.tif 000018
【図１８】
0005527859.tif 000019
【図１９】
0005527859.tif 000020
【図２０】
0005527859.tif 000021
【図２１】
0005527859.tif 000022